【手続補正書】
【提出日】平成23年12月12日(2011.12.12)
【手続補正１】
【補正対象書類名】明細書
【補正対象項目名】発明の名称
【補正方法】変更
【補正の内容】
【発明の名称】音声復号装置、音声復号方法、及び音声復号プログラム
【手続補正２】
【補正対象書類名】明細書
【補正対象項目名】００３２
【補正方法】変更
【補正の内容】
【００３２】
本発明の音声符号化方法は、音声信号を符号化する音声符号化装置を用いた音声符号化方法であって、前記音声符号化装置が、前記音声信号の低周波成分を符号化するコア符号化ステップと、前記音声符号化装置が、前記音声信号を周波数領域に変換する周波数変換ステップと、前記音声符号化装置が、前記周波数変換ステップにおいて周波数領域に変換した前記音声信号の高周波側係数に対し周波数方向に線形予測分析を行って高周波線形予測係数を取得する線形予測分析ステップと、前記音声符号化装置が、前記線形予測分析ステップにおいて取得した前記高周波線形予測係数を時間方向に間引く予測係数間引きステップと、前記音声符号化装置が、前記予測係数間引きステップにおける間引き後の前記高周波線形予測係数を量子化する予測係数量子化ステップと、前記音声符号化装置が、少なくとも前記コア符号化ステップにおける符号化後の前記低周波成分と前記予測係数量子化ステップにおける量子化後の前記高周波線形予測係数とが多重化されたビットストリームを生成するビットストリーム多重化ステップと、を備える、ことを特徴とする。
【手続補正３】
【補正対象書類名】明細書
【補正対象項目名】００４７
【補正方法】変更
【補正の内容】
【００４７】
【図１】第１の実施形態に係る音声符号化装置の構成を示す図である。
【図２】第１の実施形態に係る音声符号化装置の動作を説明するためのフローチャートである。
【図３】第１の実施形態に係る音声復号装置の構成を示す図である。
【図４】第１の実施形態に係る音声復号装置の動作を説明するためのフローチャートである。
【図５】第１の実施形態の変形例１に係る音声符号化装置の構成を示す図である。
【図６】第２の実施形態に係る音声符号化装置の構成を示す図である。
【図７】第２の実施形態に係る音声符号化装置の動作を説明するためのフローチャートである。
【図８】第２の実施形態に係る音声復号装置の構成を示す図である。
【図９】第２の実施形態に係る音声復号装置の動作を説明するためのフローチャートである。
【図１０】第３の実施形態に係る音声符号化装置の構成を示す図である。
【図１１】第３の実施形態に係る音声符号化装置の動作を説明するためのフローチャートである。
【図１２】第３の実施形態に係る音声復号装置の構成を示す図である。
【図１３】第３の実施形態に係る音声復号装置の動作を説明するためのフローチャートである。
【図１４】第４の実施形態に係る音声復号装置の構成を示す図である。
【図１５】第４の実施形態の変形例に係る音声復号装置の構成を示す図である。
【図１６】第４の実施形態の他の変形例に係る音声復号装置の構成を示す図である。
【図１７】第４の実施形態の他の変形例に係る音声復号装置の動作を説明するためのフローチャートである。
【図１８】第１の実施形態の他の変形例に係る音声復号装置の構成を示す図である。
【図１９】第１の実施形態の他の変形例に係る音声復号装置の動作を説明するためのフローチャートである。
【図２０】第１の実施形態の他の変形例に係る音声復号装置の構成を示す図である。
【図２１】第１の実施形態の他の変形例に係る音声復号装置の動作を説明するためのフローチャートである。
【図２２】第２の実施形態の変形例に係る音声復号装置の構成を示す図である。
【図２３】第２の実施形態の変形例に係る音声復号装置の動作を説明するためのフローチャートである。
【図２４】第２の実施形態の他の変形例に係る音声復号装置の構成を示す図である。
【図２５】第２の実施形態の他の変形例に係る音声復号装置の動作を説明するためのフローチャートである。
【図２６】第４の実施形態の他の変形例に係る音声復号装置の構成を示す図である。
【図２７】第４の実施形態の他の変形例に係る音声復号装置の動作を説明するためのフローチャートである。
【図２８】第４の実施形態の他の変形例に係る音声復号装置の構成を示す図である。
【図２９】第４の実施形態の他の変形例に係る音声復号装置の動作を説明するためのフローチャートである。
【図３０】第４の実施形態の他の変形例に係る音声復号装置の構成を示す図である。
【図３１】第４の実施形態の他の変形例に係る音声復号装置の構成を示す図である。
【図３２】第４の実施形態の他の変形例に係る音声復号装置の動作を説明するためのフローチャートである。
【図３３】第４の実施形態の他の変形例に係る音声復号装置の構成を示す図である。
【図３４】第４の実施形態の他の変形例に係る音声復号装置の動作を説明するためのフローチャートである。
【図３５】第４の実施形態の他の変形例に係る音声復号装置の構成を示す図である。
【図３６】第４の実施形態の他の変形例に係る音声復号装置の動作を説明するためのフローチャートである。
【図３７】第４の実施形態の他の変形例に係る音声復号装置の構成を示す図である。
【図３８】第４の実施形態の他の変形例に係る音声復号装置の構成を示す図である。
【図３９】第４の実施形態の他の変形例に係る音声復号装置の動作を説明するためのフローチャートである。
【図４０】第４の実施形態の他の変形例に係る音声復号装置の構成を示す図である。
【図４１】第４の実施形態の他の変形例に係る音声復号装置の動作を説明するためのフローチャートである。
【図４２】第４の実施形態の他の変形例に係る音声復号装置の構成を示す図である。
【図４３】第４の実施形態の他の変形例に係る音声復号装置の動作を説明するためのフローチャートである。
【図４４】第１の実施形態の他の変形例に係る音声符号化装置の構成を示す図である。
【図４５】第１の実施形態の他の変形例に係る音声符号化装置の構成を示す図である。
【図４６】第２の実施形態の変形例に係る音声符号化装置の構成を示す図である。
【図４７】第２の実施形態の他の変形例に係る音声符号化装置の構成を示す図である。
【図４８】第４の実施形態に係る音声符号化装置の構成を示す図である。
【図４９】第４の実施形態の変形例に係る音声符号化装置の構成を示す図である。
【図５０】第４の実施形態の他の変形例に係る音声符号化装置の構成を示す図である。
【手続補正４】
【補正対象書類名】明細書
【補正対象項目名】００６０
【補正方法】変更
【補正の内容】
【００６０】
図３は、第１の実施形態に係る音声復号装置２１の構成を示す図である。音声復号装置２１は、物理的には図示しないＣＰＵ、ＲＯＭ、ＲＡＭ及び通信装置等を備え、このＣＰＵは、ＲＯＭ等の音声復号装置２１の内蔵メモリに格納された所定のコンピュータプログラム（例えば、図４のフローチャートに示す処理を行うためのコンピュータプログラム）をＲＡＭにロードして実行することによって音声復号装置２１を統括的に制御する。音声復号装置２１の通信装置は、音声符号化装置１１、後述の変形例１の音声符号化装置１１ａ、又は、後述の変形例２の音声符号化装置から出力される符号化された多重化ビットストリームを受信し、更に、復号した音声信号を外部に出力する。音声復号装置２１は、図３に示すように、機能的には、ビットストリーム分離部２ａ（ビットストリーム分離手段）、コアコーデック復号部２ｂ（コア復号手段）、周波数変換部２ｃ（周波数変換手段）、低周波線形予測分析部２ｄ（低周波時間エンベロープ分析手段）、信号変化検出部２ｅ、フィルタ強度調整部２ｆ（時間エンベロープ調整手段）、高周波生成部２ｇ（高周波生成手段）、高周波線形予測分析部２ｈ、線形予測逆フィルタ部２ｉ、高周波調整部２ｊ（高周波調整手段）、線形予測フィルタ部２ｋ（時間エンベロープ変形手段）、係数加算部２ｍ及び周波数逆変換部２ｎを備える。図３に示す音声復号装置２１のビットストリーム分離部２ａ〜周波数逆変換部２ｎは、音声復号装置２１のＣＰＵが音声復号装置２１の内蔵メモリに格納されたコンピュータプログラムを実行することによって実現される機能である。音声復号装置２１のＣＰＵは、このコンピュータプログラムを実行することによって（図３に示すビットストリーム分離部２ａ〜エンベロープ形状パラメータ算出部１ｎを用いて）、図４のフローチャートに示す処理（ステップＳｂ１〜ステップＳｂ１１の処理）を順次実行する。このコンピュータプログラムの実行に必要な各種データ、及び、このコンピュータプログラムの実行によって生成された各種データは、全て、音声復号装置２１のＲＯＭやＲＡＭ等の内蔵メモリに格納されるものとする。
【手続補正５】
【補正対象書類名】明細書
【補正対象項目名】００７４
【補正方法】変更
【補正の内容】
【００７４】
音声符号化装置１１ａは、図５に示すように、機能的には、音声符号化装置１１の線形予測分析部１ｅ、フィルタ強度パラメータ算出部１ｆ及びビットストリーム多重化部１ｇにかえて、高周波周波数逆変換部１ｈ、短時間電力算出部１ｉ（時間エンベロープ補助情報算出手段）、フィルタ強度パラメータ算出部１ｆ１（時間エンベロープ補助情報算出手段）及びビットストリーム多重化部１ｇ１（ビットストリーム多重化手段）を備える。ビットストリーム多重化部１ｇ１はビットストリーム多重化部１ｇと同様の機能を有する。図５に示す音声符号化装置１１ａの周波数変換部１ａ〜ＳＢＲ符号化部１ｄ、高周波周波数逆変換部１ｈ、短時間電力算出部１ｉ、フィルタ強度パラメータ算出部１ｆ１及びビットストリーム多重化部１ｇ１は、音声符号化装置１１ａのＣＰＵが音声符号化装置１１ａの内蔵メモリに格納されたコンピュータプログラムを実行することによって実現される機能である。このコンピュータプログラムの実行に必要な各種データ、及び、このコンピュータプログラムの実行によって生成された各種データは、全て、音声符号化装置１１ａのＲＯＭやＲＡＭ等の内蔵メモリに格納されるものとする。
【手続補正６】
【補正対象書類名】明細書
【補正対象項目名】００９１
【補正方法】変更
【補正の内容】
【００９１】
音声復号装置２２は、機能的には、音声復号装置２１のビットストリーム分離部２ａ、低周波線形予測分析部２ｄ、信号変化検出部２ｅ、フィルタ強度調整部２ｆ及び線形予測フィルタ部２ｋにかえて、ビットストリーム分離部２ａ１（ビットストリーム分離手段）、線形予測係数補間・補外部２ｐ（線形予測係数補間・補外手段）及び線形予測フィルタ部２ｋ１（時間エンベロープ変形手段）を備える。図８に示す音声復号装置２２のビットストリーム分離部２ａ１、コアコーデック復号部２ｂ、周波数変換部２ｃ、高周波生成部２ｇ〜高周波調整部２ｊ、線形予測フィルタ部２ｋ１、係数加算部２ｍ、周波数逆変換部２ｎ、及び、線形予測係数補間・補外部２ｐは、音声復号装置２２のＣＰＵが音声復号装置２２の内蔵メモリに格納されたコンピュータプログラムを実行することによって実現される機能である。音声復号装置２２のＣＰＵは、このコンピュータプログラムを実行することによって（図８に示すビットストリーム分離部２ａ１、コアコーデック復号部２ｂ、周波数変換部２ｃ、高周波生成部２ｇ〜高周波調整部２ｊ、線形予測フィルタ部２ｋ１、係数加算部２ｍ、周波数逆変換部２ｎ、及び、線形予測係数補間・補外部２ｐを用いて）、図９のフローチャートに示す処理（ステップＳｂ１〜ステップＳｂ２、ステップＳｄ１、ステップＳｂ５〜ステップＳｂ８、ステップＳｄ２、及び、ステップＳｂ１０〜ステップＳｂ１１の処理）を順次実行する。このコンピュータプログラムの実行に必要な各種データ、及び、このコンピュータプログラムの実行によって生成された各種データは、全て、音声復号装置２２のＲＯＭやＲＡＭ等の内蔵メモリに格納されるものとする。
【手続補正７】
【補正対象書類名】明細書
【補正対象項目名】００９９
【補正方法】変更
【補正の内容】
【００９９】
音声符号化装置１３は、機能的には、音声符号化装置１１の線形予測分析部１ｅ、フィルタ強度パラメータ算出部１ｆ及びビットストリーム多重化部１ｇにかえて、時間エンベロープ算出部１ｍ（時間エンベロープ補助情報算出手段）、エンベロープ形状パラメータ算出部１ｎ（時間エンベロープ補助情報算出手段）及びビットストリーム多重化部１ｇ３（ビットストリーム多重化手段）を備える。図１０に示す音声符号化装置１３の周波数変換部１ａ〜ＳＢＲ符号化部１ｄ、時間エンベロープ算出部１ｍ、エンベロープ形状パラメータ算出部１ｎ、及び、ビットストリーム多重化部１ｇ３は、音声符号化装置１３のＣＰＵが音声符号化装置１３の内蔵メモリに格納されたコンピュータプログラムを実行することによって実現される機能である。音声符号化装置１３のＣＰＵは、このコンピュータプログラムを実行することによって（図１０に示す音声符号化装置１３の周波数変換部１ａ〜ＳＢＲ符号化部１ｄ、時間エンベロープ算出部１ｍ、エンベロープ形状パラメータ算出部１ｎ、及び、ビットストリーム多重化部１ｇ３を用いて）、図１１のフローチャートに示す処理（ステップＳａ１〜ステップＳａ４、及び、ステップＳｅ１〜ステップＳｅ３の処理）を順次実行する。このコンピュータプログラムの実行に必要な各種データ、及び、このコンピュータプログラムの実行によって生成された各種データは、全て、音声符号化装置１３のＲＯＭやＲＡＭ等の内蔵メモリに格納されるものとする。
【手続補正８】
【補正対象書類名】明細書
【補正対象項目名】０１０４
【補正方法】変更
【補正の内容】
【０１０４】
音声復号装置２３は、機能的には、音声復号装置２１のビットストリーム分離部２ａ、低周波線形予測分析部２ｄ、信号変化検出部２ｅ、フィルタ強度調整部２ｆ、高周波線形予測分析部２ｈ、線形予測逆フィルタ部２ｉ及び線形予測フィルタ部２ｋにかえて、ビットストリーム分離部２ａ２（ビットストリーム分離手段）、低周波時間エンベロープ算出部２ｒ（低周波時間エンベロープ分析手段）、エンベロープ形状調整部２ｓ（時間エンベロープ調整手段）、高周波時間エンベロープ算出部２ｔ、時間エンベロープ平坦化部２ｕ及び時間エンベロープ変形部２ｖ（時間エンベロープ変形手段）を備える。図１２に示す音声復号装置２３のビットストリーム分離部２ａ２、コアコーデック復号部２ｂ〜周波数変換部２ｃ、高周波生成部２ｇ、高周波調整部２ｊ、係数加算部２ｍ、周波数逆変換部２ｎ、及び、低周波時間エンベロープ算出部２ｒ〜時間エンベロープ変形部２ｖは、音声復号装置２３のＣＰＵが音声復号装置２３の内蔵メモリに格納されたコンピュータプログラムを実行することによって実現される機能である。音声復号装置２３のＣＰＵは、このコンピュータプログラムを実行することによって（図１２に示す音声復号装置２３のビットストリーム分離部２ａ２、コアコーデック復号部２ｂ〜周波数変換部２ｃ、高周波生成部２ｇ、高周波調整部２ｊ、係数加算部２ｍ、周波数逆変換部２ｎ、及び、低周波時間エンベロープ算出部２ｒ〜時間エンベロープ変形部２ｖを用いて）、図１３のフローチャートに示す処理（ステップＳｂ１〜ステップＳｂ２、ステップＳｆ１〜ステップＳｆ２、ステップＳｂ５、ステップＳｆ３〜ステップＳｆ４、ステップＳｂ８、ステップＳｆ５、及び、ステップＳｂ１０〜ステップＳｂ１１の処理）を順次実行する。このコンピュータプログラムの実行に必要な各種データ、及び、このコンピュータプログラムの実行によって生成された各種データは、全て、音声復号装置２３のＲＯＭやＲＡＭ等の内蔵メモリに格納されるものとする。
【手続補正９】
【補正対象書類名】明細書
【補正対象項目名】０１１３
【補正方法】変更
【補正の内容】
【０１１３】
音声復号装置２４は、機能的には、音声復号装置２１の構成（コアコーデック復号部２ｂ、周波数変換部２ｃ、低周波線形予測分析部２ｄ、信号変化検出部２ｅ、フィルタ強度調整部２ｆ、高周波生成部２ｇ、高周波線形予測分析部２ｈ、線形予測逆フィルタ部２ｉ、高周波調整部２ｊ、線形予測フィルタ部２ｋ、係数加算部２ｍ及び周波数逆変換部２ｎ）と、音声復号装置２３の構成（低周波時間エンベロープ算出部２ｒ、エンベロープ形状調整部２ｓ及び時間エンベロープ変形部２ｖ）とを備える。更に、音声復号装置２４は、ビットストリーム分離部２ａ３（ビットストリーム分離手段）及び補助情報変換部２ｗを備える。線形予測フィルタ部２ｋと時間エンベロープ変形部２ｖの順序は図１４に示すものと逆であってもよい。なお、音声復号装置２４は、音声符号化装置１１又は音声符号化装置１３によって符号化されたビットストリームを入力とすることが望ましい。図１４に示す音声復号装置２４の構成は、音声復号装置２４のＣＰＵが音声復号装置２４の内蔵メモリに格納されたコンピュータプログラムを実行することによって実現される機能である。このコンピュータプログラムの実行に必要な各種データ、及び、このコンピュータプログラムの実行によって生成された各種データは、全て、音声復号装置２４のＲＯＭやＲＡＭ等の内蔵メモリに格納されるものとする。
【手続補正１０】
【補正対象書類名】明細書
【補正対象項目名】０１２０
【補正方法】変更
【補正の内容】
【０１２０】
（第３の実施形態の変形例３）
数式（１９）は下記の数式（３９）であってもよい。
【数３９】
2011034046.tif 000001
数式（２２）は下記の数式（４０）であってもよい。
【数４０】
2011034046.tif 000002
数式（２６）は下記の数式（４１）であってもよい。
【数４１】
2011034046.tif 000003
数式（３９）及び数式（４０）にしたがった場合、時間エンベロープ情報ｅ（ｒ）は、ＱＭＦサブバンドサンプルごとの電力をＳＢＲエンベロープ内での平均電力で正規化し、さらに平方根をとったものとなる。ただし、ＱＭＦサブバンドサンプルは、ＱＭＦ領域信号において、同一の時間インデックス“ｒ”に対応する信号ベクトルであり、QMF領域における一つのサブサンプルを意味する。また、本発明の実施形態全体において、用語”時間スロット”は”ＱＭＦサブバンドサンプル”と同一の内容を意味する。この場合、時間エンベロープ情報ｅ（ｒ）は、各ＱＭＦサブバンドサンプルへ乗算されるべきゲイン係数を意味することとなり、調整後の時間エンベロープ情報ｅａｄｊ（ｒ）も同様である。
【手続補正１１】
【補正対象書類名】明細書
【補正対象項目名】０１３１
【補正方法】変更
【補正の内容】
【０１３１】
個別信号成分調整部２ｚ１，２ｚ２，２ｚ３は、前記一次高周波調整部の出力に含まれる複数の信号成分の各々に対し処理を行う（ステップＳｇ２の処理）。個別信号成分調整部２ｚ１，２ｚ２，２ｚ３における処理は、線形予測フィルタ部２ｋと同様の、フィルタ強度調整部２ｆから得られた線形予測係数を用いた周波数方向の線形予測合成フィルタ処理であってもよい（処理１）。また、個別信号成分調整部２ｚ１，２ｚ２，２ｚ３における処理は、時間エンベロープ変形部２ｖと同様の、エンベロープ形状調整部２ｓから得られた時間エンベロープを用いて各ＱＭＦサブバンドサンプルへゲイン係数を乗算する処理であってもよい（処理２）。また、個別信号成分調整部２ｚ１，２ｚ２，２ｚ３における処理は、入力信号に対して線形予測フィルタ部２ｋと同様の、フィルタ強度調整部２ｆから得られた線形予測係数を用いた周波数方向の線形予測合成フィルタ処理を行った後、その出力信号に対してさらに時間エンベロープ変形部２ｖと同様の、エンベロープ形状調整部２ｓから得られた時間エンベロープを用いて各ＱＭＦサブバンドサンプルへゲイン係数を乗算する処理を行うことであってもよい（処理３）。また、個別信号成分調整部２ｚ１，２ｚ２，２ｚ３における処理は、入力信号に対して時間エンベロープ変形部２ｖと同様の、エンベロープ形状調整部２ｓから得られた時間エンベロープを用いて各ＱＭＦサブバンドサンプルへゲイン係数を乗算する処理を行った後、その出力信号に対してさらに線形予測フィルタ部２ｋと同様の、フィルタ強度調整部２ｆから得られた線形予測係数を用いた周波数方向の線形予測合成フィルタ処理を行うことであってもよい（処理４）。また、個別信号成分調整部２ｚ１，２ｚ２，２ｚ３は入力信号に対して時間エンベロープ変形処理を行わず、入力信号をそのまま出力するものであってもよい（処理５）また、個別信号成分調整部２ｚ１，２ｚ２，２ｚ３における処理は、処理１〜５以外の方法で入力信号の時間エンベロープを変形するための何らかの処理を加えるものであってもよい（処理６）。また、個別信号成分調整部２ｚ１，２ｚ２，２ｚ３における処理は、処理１〜６のうちの複数の処理を任意の順序で組み合わせた処理であってもよい（処理７）。
【手続補正１２】
【補正対象書類名】明細書
【補正対象項目名】０１３２
【補正方法】変更
【補正の内容】
【０１３２】
個別信号成分調整部２ｚ１，２ｚ２，２ｚ３における処理は互いに同じでもよいが、個別信号成分調整部２ｚ１，２ｚ２，２ｚ３は、一次高周波調整部の出力に含まれる複数の信号成分の各々に対し互いに異なる方法で時間エンベロープの変形を行ってもよい。例えば個別信号成分調整部２ｚ１は入力された複写信号に対し処理２を行い、個別信号成分調整部２ｚ２は入力されたノイズ信号成分に対して処理３を行い、個別信号成分調整部２ｚ３は入力された正弦波信号に対して処理５を行うといったように、複写信号、ノイズ信号、正弦波信号の各々に対して互いに異なる処理を行ってよい。また、この際、フィルタ強度調整部２ｆとエンベロープ形状調整部２ｓは、個別信号成分調整部２ｚ１，２ｚ２，２ｚ３の各々に対して互いに同じ線形予測係数や時間エンベロープを送信してもよいが、互いに異なる線形予測係数や時間エンベロープを送信してもよく、また個別信号成分調整部２ｚ１，２ｚ２，２ｚ３のいずれか２つ以上に対して同一の線形予測係数や時間エンベロープを送信してもよい。個別信号成分調整部２ｚ１，２ｚ２，２ｚ３の１つ以上は、時間エンベロープ変形処理を行わず、入力信号をそのまま出力するもの（処理５）であってもよいため、個別信号成分調整部２ｚ１，２ｚ２，２ｚ３は全体として、一次高周波調整部２ｊ３から出力された複数の信号成分の少なくとも一つに対し時間エンベロープ処理を行うものである（個別信号成分調整部２ｚ１，２ｚ２，２ｚ３の全てが処理５である場合は、いずれの信号成分に対しても時間エンベロープ変形処理が行われないため、本発明の効果を有さない）。
【手続補正１３】
【補正対象書類名】明細書
【補正対象項目名】０１４２
【補正方法】変更
【補正の内容】
【０１４２】
フィルタ強度調整部２ｆでは、低周波線形予測分析部２ｄ１において得られた、時間スロット選択部３ａで選択された時間スロットの低周波線形予測係数に対してフィルタ強度調整を行い、調整された線形予測係数ａｄｅｃ（ｎ，ｒ１）を得る。高周波線形予測分析部２ｈ１では、高周波生成部２ｇによって生成された高周波成分のＱＭＦ領域信号を、時間スロット選択部３ａより通知された選択結果に基づき、選択された時間スロットｒ１に関して、高周波線形予測分析部２ｈと同様に、周波数方向に線形予測分析し、高周波線形予測係数ａｅｘｐ（ｎ，ｒ１）を取得する（ステップＳｈ３の処理）。線形予測逆フィルタ部２ｉ１では、時間スロット選択部３ａより通知された選択結果に基づき、選択された時間スロットｒ１の高周波成分のＱＭＦ領域の信号ｑｅｘｐ（ｋ，ｒ）を、線形予測逆フィルタ部２ｉと同様に周波数方向にａｅｘｐ（ｎ，ｒ１）を係数とする線形予測逆フィルタ処理を行う（ステップＳｈ４の処理）。
【手続補正１４】
【補正対象書類名】明細書
【補正対象項目名】０１４８
【補正方法】変更
【補正の内容】
【０１４８】
音声復号装置２１ｂは、図２０に示すとおり、変形例４の音声復号装置２１ａのビットストリーム分離部２ａ、及び時間スロット選択部３ａにかえて、ビットストリーム分離部２ａ５、及び時間スロット選択部３ａ１を備え、時間スロット選択部３ａ１に時間スロット選択情報が入力される。ビットストリーム分離部２ａ５では、多重化ビットストリームを、ビットストリーム分離部２ａと同様に、フィルタ強度パラメータと、ＳＢＲ補助情報と、符号化ビットストリームとに分離し、時間スロット選択情報をさらに分離する。時間スロット選択部３ａ１では、ビットストリーム分離部２ａ５から送られた時間スロット選択情報に基づいて時間スロットを選択する（ステップＳｉ１の処理）。時間スロット選択情報は、時間スロットの選択に用いる情報であり、例えば選択する時間スロットのインデックスｒ１を含んでいてもよい。さらに、例えば変形例4に記載の時間スロット選択方法に利用されるパラメータでもよい。この場合、時間スロット選択部３ａ１には、時間スロット選択情報に加えて、図示されていないが高周波生成部２ｇにて生成された高周波成分のＱＭＦ領域信号も入力される。前記パラメータは、例えば前記時間スロットの選択のために用いる所定の値（例えば、Ｐｅｘｐ，Ｔｈ、ｔＴｈなど）でもよい。
【手続補正１５】
【補正対象書類名】明細書
【補正対象項目名】０１５７
【補正方法】変更
【補正の内容】
【０１５７】
第２の実施形態の変形例１の音声復号装置２２ａ（図２２参照）は、物理的には図示しないＣＰＵ、ＲＯＭ、ＲＡＭ及び通信装置等を備え、このＣＰＵは、ＲＯＭ等の音声復号装置２２ａの内蔵メモリに格納された所定のコンピュータプログラム（例えば、図２３のフローチャートに示す処理を行うためのコンピュータプログラム）をＲＡＭにロードして実行することによって音声復号装置２２ａを統括的に制御する。音声復号装置２２ａの通信装置は、符号化された多重化ビットストリームを受信し、更に、復号した音声信号を外部に出力する。音声復号装置２２ａは、図２２に示すとおり、第２の実施形態の音声復号装置２２の高周波線形予測分析部２ｈ、線形予測逆フィルタ部２ｉ、線形予測フィルタ部２ｋ１、及び線形予測補間・補外部２ｐにかえて、高周波線形予測分析部２ｈ１、線形予測逆フィルタ部２ｉ１、線形予測フィルタ部２ｋ２、及び線形予測補間・補外部２ｐ１を備え、時間スロット選択部３ａをさらに備える。
【手続補正１６】
【補正対象書類名】明細書
【補正対象項目名】０１６３
【補正方法】変更
【補正の内容】
【０１６３】
（第４の実施形態）
第４の実施形態の音声符号化装置１４（図４８）は、物理的には図示しないＣＰＵ、ＲＯＭ、ＲＡＭ及び通信装置等を備え、このＣＰＵは、ＲＯＭ等の音声符号化装置１４の内蔵メモリに格納された所定のコンピュータプログラムをＲＡＭにロードして実行することによって音声符号化装置１４を統括的に制御する。音声符号化装置１４の通信装置は、符号化の対象となる音声信号を外部から受信し、更に、符号化された多重化ビットストリームを外部に出力する。音声符号化装置１４は、第１の実施形態の変形例４の音声符号化装置１１ｂのビットストリーム多重化部１ｇにかえて、ビットストリーム多重化部１ｇ７を備え、さらに音声符号化装置１３の時間エンベロープ算出部１ｍ、及びエンベロープ形状パラメータ算出部１ｎを備える。
【手続補正１７】
【補正対象書類名】明細書
【補正対象項目名】０１７１
【補正方法】変更
【補正の内容】
【０１７１】
本変形例における時間スロット選択部３ａ２での線形予測合成フィルタ処理を施す時間スロットの選択では、時間エンベロープ変形部２ｖ１から通知された時間スロット選択情報に含まれるパラメータｕ（ｒ）が所定の値ｕＴｈよりも大きい時間スロットｒをひとつ以上選択してもよく、ｕ（ｒ）が所定の値uThよりも大きいか等しい時間スロットｒをひとつ以上選択してもよい。ｕ（ｒ）は、上記ｅ（ｒ）、｜ｅ（ｒ）｜２、ｅｅｘｐ（ｒ）、｜ｅｅｘｐ（ｒ）｜２、ｅａｄｊ（ｒ）、｜ｅａｄｊ（ｒ）｜２、ｅａｄｊ，ｓｃａｌｅｄ（ｒ）、｜ｅａｄｊ，ｓｃａｌｅｄ（ｒ）｜２、Ｐｅｎｖａｄｊ（ｒ）、そして、
【数６９】
2011034046.tif 000004
のうち少なくともひとつを含んでいてもよく、ｕＴｈは、上記
【数７０】
2011034046.tif 000005
のうち少なくともひとつを含んでもよい。またｕＴｈは、時間スロットｒを含む所定の時間幅（例えばＳＢＲエンベロープ）のｕ（ｒ）の平均値でもよい。さらに、ｕ（ｒ）がピークになる時間スロットが含まれるように選択してもよい。ｕ（ｒ）のピークは、前記第１の実施形態の変形例４における高周波成分のＱＭＦ領域信号の信号電力のピークの算出と同様に算出できる。さらに、前記第１の実施形態の変形例４における定常状態と過渡状態を、ｕ（ｒ）を用いて前記第１の実施形態の変形例４と同様に判断し、それに基づいて時間スロットを選択してもよい。時間スロットの選択方法は、前記の方法を少なくともひとつ用いてもよく、さらには前記とは異なる方法を少なくともひとつ用いてもよく、さらにはそれらを組み合わせてもよい。
【手続補正１８】
【補正対象書類名】明細書
【補正対象項目名】０１７２
【補正方法】変更
【補正の内容】
【０１７２】
（第４の実施形態の変形例６）
第４の実施形態の変形例６の音声復号装置２４ｆ（図３０参照）は、物理的には図示しないＣＰＵ、ＲＯＭ、ＲＡＭ及び通信装置等を備え、このＣＰＵは、ＲＯＭ等の音声復号装置２４ｆの内蔵メモリに格納された所定のコンピュータプログラム（例えば、図２９のフローチャートに示す処理を行うためのコンピュータプログラム）をＲＡＭにロードして実行することによって音声復号装置２４ｆを統括的に制御する。音声復号装置２４ｆの通信装置は、符号化された多重化ビットストリームを受信し、更に、復号した音声信号を外部に出力する。音声復号装置２４ｆは、図３０に示すとおり、変形例６においては、第１の実施形態と同様に第4の実施形態の全体を通して省略可能である、変形例4に記載の音声復号装置２４ｄの信号変化検出部２ｅ１と、高周波線形予測分析部２ｈ１と、線形予測逆フィルタ部２ｉ１を省略し、音声復号装置２４ｄの時間スロット選択部３ａ、及び時間エンベロープ変形部２ｖにかえて、時間スロット選択部３ａ２、及び時間エンベロープ変形部２ｖ１を備える。さらに、第４の実施形態の全体を通して処理順序を入れ替え可能である線形予測フィルタ部２ｋ３の線形予測合成フィルタ処理と時間エンベロープ変形部２ｖ１での時間エンベロープの変形処理の順序を入れ替える。
【手続補正１９】
【補正対象書類名】明細書
【補正対象項目名】０１７６
【補正方法】変更
【補正の内容】
【０１７６】
第４の実施形態の変形例７の音声復号装置２４g（図３１参照）は、物理的には図示しないＣＰＵ、ＲＯＭ、ＲＡＭ及び通信装置等を備え、このＣＰＵは、ＲＯＭ等の音声復号装置２４ｇの内蔵メモリに格納された所定のコンピュータプログラム（例えば、図３２のフローチャートに示す処理を行うためのコンピュータプログラム）をＲＡＭにロードして実行することによって音声復号装置２４ｇを統括的に制御する。音声復号装置２４ｇの通信装置は、符号化された多重化ビットストリームを受信し、更に、復号した音声信号を外部に出力する。音声復号装置２４ｇは、図３１に示すとおり、変形例４に記載の音声復号装置２４ｄのビットストリーム分離部２ａ３、及び時間スロット選択部３ａにかえて、ビットストリーム分離部２ａ７、及び時間スロット選択部３ａ１を備える。
【手続補正２０】
【補正対象書類名】明細書
【補正対象項目名】０１７８
【補正方法】変更
【補正の内容】
【０１７８】
（第４の実施形態の変形例８）
第４の実施形態の変形例８の音声復号装置２４ｈ（図３３参照）は、物理的には図示しないＣＰＵ、ＲＯＭ、ＲＡＭ及び通信装置等を備え、このＣＰＵは、ＲＯＭ等の音声復号装置２４ｈの内蔵メモリに格納された所定のコンピュータプログラム（例えば、図３４のフローチャートに示す処理を行うためのコンピュータプログラム）をＲＡＭにロードして実行することによって音声復号装置２４ｈを統括的に制御する。音声復号装置２４ｈの通信装置は、符号化された多重化ビットストリームを受信し、更に、復号した音声信号を外部に出力する。音声復号装置２４ｈは、図３３に示すとおり、変形例２の音声復号装置２４ｂの低周波線形予測分析部２ｄ、信号変化検出部２ｅ、高周波線形予測分析部２ｈ、線形予測逆フィルタ部２ｉ、及び線形予測フィルタ部２ｋにかえて、低周波線形予測分析部２ｄ１、信号変化検出部２ｅ１、高周波線形予測分析部２ｈ１、線形予測逆フィルタ部２ｉ１、及び線形予測フィルタ部２ｋ３を備え、時間スロット選択部３ａをさらに備える。一次高周波調整部２ｊ１は、第4の実施形態の変形例２における一次高周波調整部２ｊ１と同様に、前記“MPEG-4  AAC”のSBRにおける”HF Adjustment“ステップにある処理のいずれか一つ以上を行う（ステップＳｍ１の処理）。二次高周波調整部２ｊ２は、第4の実施形態の変形例２における二次高周波調整部２ｊ２と同様に、前記“MPEG-4  AAC”のSBRにおける”HF Adjustment“ステップにある処理のいずれか一つ以上を行う（ステップＳｍ２の処理）。二次高周波調整部２ｊ２で行う処理は、前記“MPEG-4  AAC”のSBRにおける”HF Adjustment“ステップにある処理のうち、一次高周波調整部２ｊ１で行われなかった処理とすることが望ましい。
【手続補正２１】
【補正対象書類名】明細書
【補正対象項目名】０１８３
【補正方法】変更
【補正の内容】
【０１８３】
個別信号成分調整部２ｚ４，２ｚ５，２ｚ６のうち少なくともひとつは、前記一次高周波調整部の出力に含まれる信号成分に関して、時間スロット選択部３ａより通知された選択結果に基づき、選択された時間スロットのＱＭＦ領域信号に対して、個別信号成分調整部２ｚ１，２ｚ２，２ｚ３と同様に、処理を行う（ステップＳｎ１の処理）。時間スロット選択情報を用いて行う処理は、前記第４の実施形態の変形例３に記載の個別信号成分調整部２ｚ１，２ｚ２，２ｚ３における処理のうち、周波数方向の線形予測合成フィルタ処理を含む処理のうち少なくともひとつを含むのが望ましい。
【手続補正２２】
【補正対象書類名】明細書
【補正対象項目名】０１８４
【補正方法】変更
【補正の内容】
【０１８４】
個別信号成分調整部２ｚ４，２ｚ５，２ｚ６における処理は、前記第４の実施形態の変形例３に記載の個別信号成分調整部２ｚ１，２ｚ２，２ｚ３の処理と同様に、互いに同じでもよいが、個別信号成分調整部２ｚ４，２ｚ５，２ｚ６は、一次高周波調整部の出力に含まれる複数の信号成分の各々に対し互いに異なる方法で時間エンベロープの変形を行ってもよい。（個別信号成分調整部２ｚ４，２ｚ５，２ｚ６の全てが時間スロット選択部３ａより通知された選択結果に基づいて処理しない場合は、本発明の第４の実施形態の変形例３と同等になる）。
【手続補正２３】
【補正対象書類名】特許請求の範囲
【補正対象項目名】全文
【補正方法】変更
【補正の内容】
【特許請求の範囲】
【請求項１】
符号化された音声信号を復号する音声復号装置であって、
前記符号化された音声信号を含む外部からのビットストリームを、符号化ビットストリームと時間エンベロープ補助情報とに分離するビットストリーム分離手段と、
前記ビットストリーム分離手段によって分離された前記符号化ビットストリームを復号して低周波成分を得るコア復号手段と、
前記コア復号手段によって得られた前記低周波成分を周波数領域に変換する周波数変換手段と、
前記周波数変換手段によって周波数領域に変換された前記低周波成分を低周波帯域から高周波帯域に複写することによって高周波成分を生成する高周波生成手段と、
前記高周波生成手段によって生成された前記高周波成分を調整して、調整された高周波成分を生成する高周波調整手段と、
前記周波数変換手段によって周波数領域に変換された前記低周波成分を分析して時間エンベロープ情報を取得する低周波時間エンベロープ分析手段と、
前記時間エンベロープ補助情報を、前記時間エンベロープ情報を調整するためのパラメータに変換する補助情報変換手段と、
前記低周波時間エンベロープ分析手段によって取得された前記時間エンベロープ情報を調整して、調整された時間エンベロープ情報を生成する時間エンベロープ調整手段であり、該時間エンベロープ情報の調整に前記パラメータを用いる、該時間エンベロープ調整手段と、
前記調整された時間エンベロープ情報を用いて、前記調整された高周波成分の時間エンベロープを変形する時間エンベロープ変形手段と、
を備える、音声復号装置。
【請求項２】
符号化された音声信号を復号する音声復号装置であって、
前記符号化された音声信号を含む外部からのビットストリームを復号して低周波成分を得るコア復号手段と、
前記コア復号手段によって得られた前記低周波成分を周波数領域に変換する周波数変換手段と、
前記周波数変換手段によって周波数領域に変換された前記低周波成分を低周波帯域から高周波帯域に複写することによって高周波成分を生成する高周波生成手段と、
前記高周波生成手段によって生成された前記高周波成分を調整して、調整された高周波成分を生成する高周波調整手段と、
前記周波数変換手段によって周波数領域に変換された前記低周波成分を分析して時間エンベロープ情報を取得する低周波時間エンベロープ分析手段と、
前記ビットストリームを分析して前記時間エンベロープ情報を調整するためのパラメータを生成する時間エンベロープ補助情報生成部と、
前記低周波時間エンベロープ分析手段によって取得された前記時間エンベロープ情報を調整して、調整された時間エンベロープ情報を生成する時間エンベロープ調整手段であり、該時間エンベロープ情報の調整に前記パラメータを用いる、該時間エンベロープ調整手段と、
前記調整された時間エンベロープ情報を用いて、前記調整された高周波成分の時間エンベロープを変形する時間エンベロープ変形手段と、
を備える、音声復号装置。
【請求項３】
前記高周波調整手段は“ISO/IEC 14496-3”に規定される“MPEG4 AAC”における“HF adjustment”に準拠した動作をする、請求項１又は２に記載の音声復号装置。
【請求項４】
前記調整された前記高周波成分は、前記高周波生成手段によって生成された前記高周波成分に基づく複写信号成分、及びノイズ信号成分を含む、請求項１〜３の何れか一項に記載の音声復号装置。
【請求項５】
符号化された音声信号を復号する音声復号装置を用いた音声復号方法であって、
前記音声復号装置が、前記符号化された音声信号を含む外部からのビットストリームを、符号化ビットストリームと時間エンベロープ補助情報とに分離するビットストリーム分離ステップと、
前記音声復号装置が、前記ビットストリーム分離ステップにおいて分離した前記符号化ビットストリームを復号して低周波成分を得るコア復号ステップと、
前記音声復号装置が、前記コア復号ステップにおいて得た前記低周波成分を周波数領域に変換する周波数変換ステップと、
前記音声復号装置が、前記周波数変換ステップにおいて周波数領域に変換した前記低周波成分を低周波帯域から高周波帯域に複写することによって高周波成分を生成する高周波生成ステップと、
前記音声復号装置が、前記高周波生成ステップにおいて生成した前記高周波成分を調整して、調整された高周波成分を生成する高周波調整ステップと、
前記音声復号装置が、前記周波数変換ステップにおいて周波数領域に変換した前記低周波成分を分析して時間エンベロープ情報を取得する低周波時間エンベロープ分析ステップと、
前記音声復号装置が、前記時間エンベロープ補助情報を、前記時間エンベロープ情報を調整するためのパラメータに変換する補助情報変換ステップと、
前記音声復号装置が、前記低周波時間エンベロープ分析ステップにおいて取得した前記時間エンベロープ情報を調整して、調整された時間エンベロープ情報を生成する時間エンベロープ調整ステップであり、該時間エンベロープ情報の調整に前記パラメータを用いる、該時間エンベロープ調整ステップと、
前記音声復号装置が、前記調整された時間エンベロープ情報を用いて、前記調整された高周波成分の時間エンベロープを変形する時間エンベロープ変形ステップと、
を含む音声復号方法。
【請求項６】
符号化された音声信号を復号する音声復号装置を用いた音声復号方法であって、
前記音声復号装置が、前記符号化された音声信号を含む外部からのビットストリームを復号して低周波成分を得るコア復号ステップと、
前記音声復号装置が、前記コア復号ステップにおいて得た前記低周波成分を周波数領域に変換する周波数変換ステップと、
前記音声復号装置が、前記周波数変換ステップにおいて周波数領域に変換した前記低周波成分を低周波帯域から高周波帯域に複写することによって高周波成分を生成する高周波生成ステップと、
前記音声復号装置が、前記高周波生成ステップにおいて生成した前記高周波成分を調整して、調整された高周波成分を生成する高周波調整ステップと、
前記音声復号装置が、前記周波数変換ステップにおいて周波数領域に変換された前記低周波成分を分析して時間エンベロープ情報を取得する低周波時間エンベロープ分析ステップと、
前記音声復号装置が、前記ビットストリームを分析して前記時間エンベロープ情報を調整するためのパラメータを生成する時間エンベロープ補助情報生成ステップと、
前記音声復号装置が、前記低周波時間エンベロープ分析ステップにおいて取得した前記時間エンベロープ情報を調整して、調整された時間エンベロープ情報を生成する時間エンベロープ調整ステップであり、該時間エンベロープ情報の調整に前記パラメータを用いる、該時間エンベロープ調整ステップと、
前記音声復号装置が、前記調整された時間エンベロープ情報を用いて、前記調整された高周波成分の時間エンベロープを変形する時間エンベロープ変形ステップと、
を含む音声復号方法。
【請求項７】
符号化された音声信号を復号するために、コンピュータ装置を、
前記符号化された音声信号を含む外部からのビットストリームを、符号化ビットストリームと時間エンベロープ補助情報とに分離するビットストリーム分離手段と、
前記ビットストリーム分離手段によって分離された前記符号化ビットストリームを復号して低周波成分を得るコア復号手段と、
前記コア復号手段によって得られた前記低周波成分を周波数領域に変換する周波数変換手段と、
前記周波数変換手段によって周波数領域に変換された前記低周波成分を低周波帯域から高周波帯域に複写することによって高周波成分を生成する高周波生成手段と、
前記高周波生成手段によって生成された前記高周波成分を調整して、調整された高周波成分を生成する高周波調整手段と、
前記周波数変換手段によって周波数領域に変換された前記低周波成分を分析して時間エンベロープ情報を取得する低周波時間エンベロープ分析手段と、
前記時間エンベロープ補助情報を、前記時間エンベロープ情報を調整するためのパラメータに変換する補助情報変換手段と、
前記低周波時間エンベロープ分析手段によって取得された前記時間エンベロープ情報を調整して、調整された時間エンベロープ情報を生成する時間エンベロープ調整手段であり、該時間エンベロープ情報の調整に前記パラメータを用いる、該時間エンベロープ調整手段と、
前記調整された時間エンベロープ情報を用いて、前記調整された高周波成分の時間エンベロープを変形する時間エンベロープ変形手段と、
として機能させる音声復号プログラム。
【請求項８】
符号化された音声信号を復号するために、コンピュータ装置を、
前記符号化された音声信号を含む外部からのビットストリームを復号して低周波成分を得るコア復号手段と、
前記コア復号手段によって得られた前記低周波成分を周波数領域に変換する周波数変換手段と、
前記周波数変換手段によって周波数領域に変換された前記低周波成分を低周波帯域から高周波帯域に複写することによって高周波成分を生成する高周波生成手段と、
前記高周波生成手段によって生成された前記高周波成分を調整して、調整された高周波成分を生成する高周波調整手段と、
前記周波数変換手段によって周波数領域に変換された前記低周波成分を分析して時間エンベロープ情報を取得する低周波時間エンベロープ分析手段と、
前記ビットストリームを分析して前記時間エンベロープ情報を調整するためのパラメータを生成する時間エンベロープ補助情報生成部と、
前記低周波時間エンベロープ分析手段によって取得された前記時間エンベロープ情報を調整して、調整された時間エンベロープ情報を生成する時間エンベロープ調整手段であり、該時間エンベロープ情報の調整に前記パラメータを用いる、該時間エンベロープ調整手段と、
前記調整された時間エンベロープ情報を用いて、前記調整された高周波成分の時間エンベロープを変形する時間エンベロープ変形手段と、
として機能させる音声復号プログラム。
【手続補正２４】
【補正対象書類名】図面
【補正対象項目名】図４
【補正方法】変更
【補正の内容】
【図４】
2011034046.tif 000006
【手続補正２５】
【補正対象書類名】図面
【補正対象項目名】図９
【補正方法】変更
【補正の内容】
【図９】
2011034046.tif 000007
【手続補正２６】
【補正対象書類名】図面
【補正対象項目名】図１２
【補正方法】変更
【補正の内容】
【図１２】
2011034046.tif 000008
【手続補正２７】
【補正対象書類名】図面
【補正対象項目名】図１９
【補正方法】変更
【補正の内容】
【図１９】
2011034046.tif 000009
【手続補正２８】
【補正対象書類名】図面
【補正対象項目名】図２１
【補正方法】変更
【補正の内容】
【図２１】
2011034046.tif 000010
【手続補正２９】
【補正対象書類名】図面
【補正対象項目名】図２３
【補正方法】変更
【補正の内容】
【図２３】
2011034046.tif 000011
【手続補正３０】
【補正対象書類名】図面
【補正対象項目名】図２５
【補正方法】変更
【補正の内容】
【図２５】
2011034046.tif 000012
【手続補正３１】
【補正対象書類名】図面
【補正対象項目名】図２７
【補正方法】変更
【補正の内容】
【図２７】
2011034046.tif 000013
【手続補正３２】
【補正対象書類名】図面
【補正対象項目名】図２９
【補正方法】変更
【補正の内容】
【図２９】
2011034046.tif 000014
【手続補正３３】
【補正対象書類名】図面
【補正対象項目名】図３２
【補正方法】変更
【補正の内容】
【図３２】
2011034046.tif 000015
【手続補正３４】
【補正対象書類名】図面
【補正対象項目名】図３４
【補正方法】変更
【補正の内容】
【図３４】
2011034046.tif 000016
【手続補正３５】
【補正対象書類名】図面
【補正対象項目名】図３５
【補正方法】変更
【補正の内容】
【図３５】
2011034046.tif 000017
【手続補正３６】
【補正対象書類名】図面
【補正対象項目名】図３６
【補正方法】変更
【補正の内容】
【図３６】
2011034046.tif 000018
【手続補正３７】
【補正対象書類名】図面
【補正対象項目名】図３７
【補正方法】変更
【補正の内容】
【図３７】
2011034046.tif 000019
【手続補正３８】
【補正対象書類名】図面
【補正対象項目名】図３８
【補正方法】変更
【補正の内容】
【図３８】
2011034046.tif 000020
【手続補正３９】
【補正対象書類名】図面
【補正対象項目名】図３９
【補正方法】変更
【補正の内容】
【図３９】
2011034046.tif 000021
【手続補正４０】
【補正対象書類名】図面
【補正対象項目名】図４１
【補正方法】変更
【補正の内容】
【図４１】
2011034046.tif 000022
【手続補正４１】
【補正対象書類名】図面
【補正対象項目名】図４３
【補正方法】変更
【補正の内容】
【図４３】
2011034046.tif 000023
【手続補正４２】
【補正対象書類名】図面
【補正対象項目名】図４７
【補正方法】変更
【補正の内容】
【図４７】
2011034046.tif 000024